(57)【要約】【課題】  光学的な調整部を有するレンズ鏡筒の場合、レンズ鏡筒が全て組みあがった状態から再度光学的な調整を行おうとする時に、非常に多くの構成部材の取り外しが必要となってしまう。そのため光学調整等のメンテナンスを行うのに大変手間がかかる。【解決手段】  レンズを保持したレンズ保持部材を光軸方向へ移動させるための光軸周りに定位置回転する操作部材と、該操作部材の回転力を伝達する回転力伝達部を有するアクチュエータと、レンズ保持部材を保持する第一の固定部材と、該第一の固定部材に対して物体側へ取り外し可能に支持される第二の固定部材を有するレンズ鏡筒であって、前記回転力伝達部は光軸方向へ貫通の溝を形成する溝部および、該溝部の貫通溝に嵌合する光軸直交方向へ突出した突起部で構成され、前記操作部材は第一の固定部材もしくは、第二の固定部材に径嵌合し、該径嵌合部は前記回転力伝達部よりも大きな径位置にする。【選択図】  図１
2010066455.tif 000002
【特許請求の範囲】
【請求項１】
レンズを保持したレンズ保持部材を光軸方向へ移動させるための光軸周りに定位置回転する操作部材と、
該操作部材の回転力を伝達する回転力伝達部を有するアクチュエータと、
レンズ保持部材を保持する第一の固定部材と、
該第一の固定部材に対して物体側へ取り外し可能に支持される第二の固定部材を有するレンズ鏡筒であって、
前記回転力伝達部は光軸方向へ貫通の溝を形成する溝部および、該溝部の貫通溝に嵌合する光軸直交方向へ突出した突起部で構成され、
前記操作部材は第一の固定部材もしくは、第二の固定部材に径嵌合し、
該径嵌合部は前記回転力伝達部よりも大きな径位置にあることを特徴とするレンズ鏡筒。
【請求項２】
前記回転力伝達部を構成する前記溝部は有底もしくは光軸直交方向へ貫通していることを特徴とする請求項１に記載のレンズ鏡筒。
【請求項３】
撮像素子と、前記撮像素子上に物体の像を結ぶ撮影レンズを保持する請求項１又は請求項２に記載のレンズ鏡筒を有することを特徴とする撮影装置。
【発明の詳細な説明】
【技術分野】
【０００１】
本発明はマニュアル操作によって、カメラなどの撮影装置のレンズ鏡筒を光軸方向へ進退可能とさせる操作部材を有するレンズ鏡筒における、該操作部材の保持方法に関するものである。
【背景技術】
【０００２】
一般にズームレンズ鏡筒は、直進溝を有する案内筒と、カム溝を有するカム筒の案内筒に対する定位置回転運動によって、レンズを保持するレンズ枠を所定の軌跡で光軸方向に移動させる機構が知られている。また、ズーム作動やフォーカス作動させるために、回転操作部材の固定部材に対する定位置回転を、前記カム環や中継部材に伝達することで、所望のズーム作動およびフォーカス作動を可能としている。
【０００３】
特に近年では、レンズ鏡筒の光軸方向および径方向への小型化が求められているので、ズーム作動およびフォーカス作動の機構は、狭いスペースでの構成を余儀なくされている。また、光学調整部をレンズ鏡筒内に複数箇所設けるなど、レンズ鏡筒全体が複雑な機構となっている。しかしながら、レンズ鏡筒の組立てや解体等の作業を考慮すると、より簡素な構造・構成であることが望ましい。
【０００４】
特許文献１では、光軸を中心に回転する操作部材の光軸方向のガタつきを、構成している部品の取り外しの作業をすることなしに、より簡便な方法で調節できるようにしている。
【特許文献１】特開２００２−５５２６７号公報
【発明の開示】
【発明が解決しようとする課題】
【０００５】
しかしながら、特許文献１では回転操作部材の光軸方向へのガタつきを押える構造にのみ特筆しており、光学的な調整をより簡便に行うための構成について言及しているものではない。
【０００６】
特許文献１のようなレンズ鏡筒の構成をとるとレンズ鏡筒が全て組みあがった状態から、光学的な調整部を有するレンズ鏡筒の場合、再度光学的な調整を行おうとする時に、非常に多くの構成部材の取り外しが必要となってしまう。そのため光学調整等のメンテナンスを行うのに大変手間がかかってしまっていた。
【０００７】
そこで本発明における目的は以下の通りである。従来のように光学調整部を覆うような部材をマウント側へ取り外し可能にする構成とするだけでなく、マウント側から構成部材を取り外して光学調整状態を崩してしまうことなく、光学調整部を覆うような部材を対物側へ取り外し可能な構成とする。これにより、メンテナンス性の向上を図る。
【課題を解決するための手段】
【０００８】
本発明は、上記課題を解決するためになされたものであり、次の構成を採る。
【０００９】
レンズを保持したレンズ保持部材を光軸方向へ移動させるための光軸周りに定位置回転する操作部材と、
該操作部材の回転力を伝達する回転力伝達部を有するアクチュエータと、
レンズ保持部材を保持する第一の固定部材と、
該第一の固定部材に対して物体側へ取り外し可能に支持される第二の固定部材を有するレンズ鏡筒であって、
前記回転力伝達部は光軸方向へ貫通の溝を形成する溝部および、該溝部の貫通溝に嵌合する光軸直交方向へ突出した突起部で構成され、前記操作部材は第一の固定部材もしくは第二の固定部材に径嵌合し、該径嵌合部は前記回転力伝達部よりも大きな径位置にあることを特徴としたレンズ鏡筒である。
【００１０】
また、前記回転力伝達部を構成する前記溝部は有底もしくは光軸直交方向へ貫通していることを特徴とするレンズ鏡筒である。
【００１１】
本発明の更なる目的又はその他の特徴は、以下、添付の図面を参照して説明される好ましい実施例等によって明らかにされるであろう。
【発明の効果】
【００１２】
以上のように本発明によれば、マウント側から構成部材を取外して光学調整状態を崩してしまうことなく、光学調整部を覆う部材を対物側へ取外すことが可能となる構成をとる。また前記光学調整部を覆う部材をマウント側へも取外し可能となる構成をとることで、レンズ鏡筒の組みばらしに係るメンテナンス性を向上させる効果がある。
【発明を実施するための最良の形態】
【００１３】
次に、本発明の詳細を実施例の記述に従って説明する。
【００１４】
以下に、本発明の実施の形態を添付の図面に基づいて詳細に説明する。各図の間で同一の番号がふってあるものは、同一部材を指す。
【実施例１】
【００１５】
図１は本発明の実施例1に係るレンズ鏡筒の概略断面図である。
【００１６】
図２は本発明の実施例1に係るレンズ鏡筒の概略斜視図である。
【００１７】
図３は実施例1に係るレンズ鏡筒のフォーカスリングとアクチュエータの連結部、溝部、突起部を表す図である。
【００１８】
カメラボディと着脱可能なマウント１００１に対し、マウントリング１００２および防滴ゴム１００３で構成された部材が径嵌合し、当接部１００４で光軸方向が規制されている。また、マウントリング１００２に対して、外装環１００５が径嵌合し、当接部１００６で光軸方向が規制されている。該当接部１００６において、マウントリング１００２の厚みを加工することで、焦点のずれを調整している。外装環１００５は固定部材である案内筒１００７に径嵌合し、光軸方向でビスにより締結される。カム筒１００８は案内筒１００７に対して径嵌合し、且つバヨネット結合されており、定位置回転をする。案内筒１００７とカム筒１００８にはレンズを保持するレンズ保持群（２群鏡筒１００９・３群鏡筒１０１０）を光軸方向へ進退させるために、それぞれ直進溝およびカム溝が形成されている。また、１群鏡筒１０１１は案内筒１００７に対して当接部１０１２で光軸方向が規制され、ビスにより光軸方向で締結されている。本発明において、１群鏡筒１０１１は案内筒１００７に対して、２群鏡筒１００９は２群鏡筒ユニット内で、それぞれ光学的な調整が行われる。アクチュエータ１０１３は案内筒１００７に対して径嵌合し、光軸方向でビスにより案内筒１００７に締結されている。ガイドキー１０１４はフォーカスリング１０１５と光軸方向で重なる位置にあり、カム筒１００８の外径部と嵌合する。またカム筒１００８の外周部に設けた周溝１０１６に嵌る凸部１０１７を内径側に有し、且つアクチュエータ１０１３の回転部（フォーカスキー１０１８）と径合し、一体的に回転する（図２参照）。更にガイドキー１０１４とカム筒１００８がビスにより外周側から固定され、アクチュエータ１０１３の回転力がガイドキー１０１４を介してカム筒１００８に伝達される。ガイドキー１０１４には径方向へ貫通で、周方向へ長い溝１０１９が設けられている（図２）。該溝１０１９はビスの呼び径よりも溝幅が広く、ビスの頭径よりも溝幅が狭い。そのため、この溝を介してガイドキー１０１４の外周側からガイドキー１０１４とカム筒１００８がビスで締結される。また、ガイドキー１０１４は前記凸部１０１７がカム筒１００８の外周溝（周溝）１０１６に沿って移動可能であり、カム筒１００８をガイドキー１０１４に対して回転させることで、レンズ保持群のカム溝の使用範囲を変化させ、光学的な調整を行っている。フィルター枠１０２０は案内筒１００７に対し当接部１０２１で光軸方向が規制され、径方向から案内筒１００７に対して結合部材（結合部）１０２２により締結され（図２）、且つ周方向への回転規制が行われている。これにより、フィルター枠１０２０は対物側へ取り外し可能となっている。案内筒１００７への締結は、対物側から締結してもよい。フォーカスリング１０１５はフィルター枠１０２０に径嵌合している。フォーカスリング１０１５は内径側に周溝１０２３を有しており、この周溝１０２３に嵌合しフィルター枠１０２０に固定された光軸方向規制部材１０２４によって、定位置回転しつつ光軸方向への移動を規制されている。化粧環１０２５は１群鏡筒１０１１の前玉を固定する押え環１０２６と結合されている。化粧環１０２５とフィルター枠１０２０は光軸方向で隙間があり、その隙間に防滴部材１０２７を圧縮挟持することで防滴している。
【００１９】
フォーカスリング１０１５とアクチュエータ１０１３は連結部１０２８により回転力が伝達される（図２）。フォーカスリング側の連結部１０２８aはフィルター枠１０２０との嵌合径よりも内径側にあり、且つフィルター枠１０２０と案内筒１００７の嵌合径よりも内径側にあり、光軸方向へ貫通の溝部１０２９を有する（図３）。前記溝部１０２９は径方向へ貫通であっても、有底であってもよい。アクチュエータ側の連結部１０２８ｂには、前記溝部１０２９に嵌る突起（突起部）１０３０が、アクチュエータ１０１３の最外径部に形成されている。フォーカスリング１０１５とアクチュエータ１０１３の連結部１０２８における突起部と溝部の関係は、フォーカスリング側に突起部、アクチュエータ側に溝部を有していてもよい。
【００２０】
このような構成をとることでレンズ鏡筒が全て組みあがった状態からでも、光学調整部を覆う部材を、マウント側から構成部材を取り外して光学調整状態を崩してしまうことなく、対物側へ取り外し可能な構成としている。これにより、メンテナンス性の向上が図られることとなる。
【００２１】
また、従来と同様にフォーカスリング１０１５をマウント側へ取り外すことが可能な構成でもあるので、光学調整途中であっても、フィルター枠１０２０を取り付けることによって、前玉を傷つけることなく、前玉側を下にしてレンズ鏡筒を置くことができる。
【００２２】
このように光学調整部を覆う部材を対物側にもマウント側にも取り外し可能とする構成をとることで、メンテナンス性の向上が図れる。
【００２３】
上述の実施例は、レンズ鏡筒の実施例を記載してきたがこの限りではない。例えば、上述のようなレンズ鏡筒と、そのレンズ鏡筒が保持するレンズによって像（物体の像、被写体の像）が結ばれる位置に配置された撮像素子（光電変換素子、ＣＣＤ等）とを持つ撮影装置にも適用可能である。または、プロジェクター（画像投射装置）や、双眼鏡や望遠鏡（観察装置）等にも適用可能である。
【００２４】
以上、本発明の好ましい実施例について説明したが、本発明はこれらの実施例に限定されないことはいうまでもなく、その要旨の範囲内で種々の変形及び変更が可能である。
【図面の簡単な説明】
【００２５】
【図１】実施例1におけるレンズ鏡筒の概略断面図
【図２】実施例1におけるレンズ鏡筒の概略斜視図
【図３】実施例1に係るレンズ鏡筒のフォーカスリングとアクチュエータの連結部、溝部、突起部を表す図
【符号の説明】
【００２６】
１００１  マウント
１００２  マウントリング
１００３  防滴ゴム
１００４  当接部
１００５  外装環
１００６  当接部
１００７  案内筒
１００８  カム筒
１００９  ２群鏡筒
１０１０  ３群鏡筒
１０１１  １群鏡筒
１０１２  当接部
１０１３  アクチュエータ
１０１４  ガイドキー
１０１５  フォーカスリング
１０１６  周溝
１０１７  凸部
１０１８  フォーカスキー
１０１９  溝
１０２０  フィルター枠
１０２１  当接部
１０２２  結合部
１０２３  周溝
１０２４  規制部材
１０２５  化粧環
１０２６  押え環
１０２７  防滴部材
１０２８  連結部
１０２９  溝部
１０３０  突起部
【図１】
2010066455.tif 000003
【図２】
2010066455.tif 000004
【図３】
2010066455.tif 000005